(57)【特許請求の範囲】
【請求項１】
拡縮可能な罠用ループが一端部側に形成されたワイヤー、および前記罠用ループを縮小させる付勢力を発生する付勢部材を有する本体部と、前記付勢部材によって付勢された状態で先端部に巻き付けられている前記罠用ループを支持すると共に内部に踏み板が設けられた第１筒状体を有する支持部とを備え、前記第１筒状体の前記内部に挿入された捕獲対象獣の脚部によって前記踏み板が踏み付けられたときに前記先端部から外れて縮小した前記罠用ループによって当該脚部を括るように構成された括り罠であって、
前記第１筒状体の前記先端部に巻き付けられた前記罠用ループおよび当該第１筒状体の開口部を覆うように前記支持部に装着可能なカバーを備え、前記カバーには、前記捕獲対象獣の前記脚部を挿通させるための切り込みが形成されている括り罠。
【請求項２】
前記支持部は、前記第１筒状体を収容可能な第２筒状体と、筒の一部を切り欠いた部分筒状に形成されて前記第２筒状体の先端部から当該第２筒状体の軸線方向に突出するように当該第２筒状体の外周面に取り付けられた突出部とを備え、
前記第１筒状体の外周面と前記突出部の内周面と前記第２筒状体の前記先端部の端面とによって構成される溝部に前記罠用ループが延在すると共に、前記突出部の切り欠き部分から当該突出部の外側に前記罠用ループの基部が延出する状態で当該罠用ループを支持可能に構成されている請求項１記載の括り罠。
【請求項３】
前記カバーの中央部に挿通孔が形成されると共に、前記挿通孔を中心とする放射状に前記切り込みが形成されている請求項１または２記載の括り罠。
【発明の詳細な説明】
【技術分野】
【０００１】
本発明は、獣捕獲用の括り罠に関するものである。
【背景技術】
【０００２】
例えば、害獣を捕獲する際に用いられる器具として、下記特許文献１に開示された括り罠が知られている。この括り罠は、踏板本体、一対の帯板、設置枠、および締付け可能な括り輪部が一端側に形成された括りワイヤーを備えて構成されている。この括り罠では、害獣の足が踏板本体の上に乗ったときに、踏板本体が下がって設置枠の底面に接する。この際に、各帯板が回転し、各帯板に装着されている括りワイヤーの括り輪部が外れると共に括りワイヤーに装着されているコイルバネ部材の弾性力によって括り輪部が縮小して害獣の足を括る。これにより、害獣を捕獲することが可能となっている。
【先行技術文献】
【特許文献】
【０００３】
【特許文献１】実用新案登録第３１７７９３５号公報（第５−７頁、第４図）
【発明の概要】
【発明が解決しようとする課題】
【０００４】
ところが、上記した従来の括り罠には、解決すべき以下の課題がある。具体的には、従来の括り罠では、イノシシやニホンジカ等の害獣として指定された動物だけではなく、害獣には指定されず逆に保護対象となっていたり捕獲に当たって特別な許可が必要であったりする熊が誤捕獲されることがある。この場合、熊が誤捕獲されたときには、熊に麻酔を注射して括り罠から解放して回復後に森林に放すという作業が条例等で義務づけられている地域もある。このため、このような地域では、熊の誤捕獲によって大きな費用が発生すると共に捕獲者の安全を確保するのが困難であるという課題が生じている。この対策として、誤捕獲された熊の力で破壊される程度の低強度の材料で括り罠を構成する方法もあるが、このような括り罠では、捕獲対象の害獣の捕獲自体が困難となるという課題が生じる。
【０００５】
本発明は、かかる課題に鑑みてなされたものであり、捕獲対象の害獣を確実に捕獲すると共に害獣に指定されていない熊の誤捕獲を防止し得る括り罠を提供することを主目的とする。
【課題を解決するための手段】
【０００６】
上記目的を達成すべく請求項１記載の括り罠は、拡縮可能な罠用ループが一端部側に形成されたワイヤー、および前記罠用ループを縮小させる付勢力を発生する付勢部材を有する本体部と、前記付勢部材によって付勢された状態で先端部に巻き付けられている前記罠用ループを支持すると共に内部に踏み板が設けられた第１筒状体を有する支持部とを備え、前記第１筒状体の前記内部に挿入された捕獲対象獣の脚部によって前記踏み板が踏み付けられたときに前記先端部から外れて縮小した前記罠用ループによって当該脚部を括るように構成された括り罠であって、前記第１筒状体の前記先端部に巻き付けられた前記罠用ループおよび当該第１筒状体の開口部を覆うように前記支持部に装着可能なカバーを備え、前記カバーには、前記捕獲対象獣の前記脚部を挿通させるための切り込みが形成されている。
【０００７】
また、請求項２記載の括り罠は、請求項１記載の括り罠において、前記支持部は、前記第１筒状体を収容可能な第２筒状体と、筒の一部を切り欠いた部分筒状に形成されて前記第２筒状体の先端部から当該第２筒状体の軸線方向に突出するように当該第２筒状体の外周面に取り付けられた突出部とを備え、前記第１筒状体の外周面と前記突出部の内周面と前記第２筒状体の前記先端部の端面とによって構成される溝部に前記罠用ループが延在すると共に、前記突出部の切り欠き部分から当該突出部の外側に前記罠用ループの基部が延出する状態で当該罠用ループを支持可能に構成されている。
【０００８】
また、請求項３記載の括り罠は、請求項１または２記載の括り罠において、前記カバーの中央部に挿通孔が形成されると共に、前記挿通孔を中心とする放射状に前記切り込みが形成されている。
【発明の効果】
【０００９】
請求項１記載の括り罠によれば、第１筒状体の先端部に巻き付けられた罠用ループおよび第１筒状体の開口部を覆うように支持部に装着可能に構成されたカバーを備え、捕獲対象獣の脚部を挿通させるための切り込みをカバーに形成したことにより、捕獲対象獣である害獣の脚部によってカバーが踏み付けられたときには、切り込みによって分割されたカバーが第１筒状体の内部側に弾性変形して捕獲対象獣の脚部をカバーの中央部に案内してカバーを挿通させて第１筒状体の内部に確実に挿入させ、罠用ループによって脚部を確実に括ることができる結果、捕獲対象獣を確実に捕獲することができる。また、この括り罠によれば、カバーを備えたことにより、保護対象獣である熊の脚部によってカバーが踏み付けられたときには、切り込みによって分割されたカバーが第１筒状体の内部側に弾性変形して脚部の足裏と第１筒状体の踏み板とによって挟み込まれて脚部と罠用ループとの間に介在するため、罠用ループによる熊の脚部の括りを防止して、熊の誤捕獲を防止することができる。
【００１０】
また、請求項２記載の括り罠によれば、第１筒状体を収容可能な第２筒状体と、第２筒状体の外周面に取り付けられた突出部とを備え、第１筒状体の外周面と突出部の内周面と第２筒状体の端面とによって構成される溝部に罠用ループが延在すると共に、突出部の切り欠き部分から罠用ループの基部が延出する状態で罠用ループを支持可能に支持部を構成したことにより、罠用ループを支持部で確実に支持すると共に、第１筒状体の踏み板が踏み付けられたときに第１筒状体を第２筒状体の基端部側に容易に移動させることができる。このため、この括り罠によれば、罠用ループが風や地震等の自然現象によって第１筒状体から外れる誤作動を防止すると共に、捕獲対象獣の脚部によってカバーが踏み付けられたときに罠用ループを確実に正常作動させることができる。
【００１１】
また、請求項３記載の括り罠によれば、カバーの中央部に挿通孔を形成すると共に、挿通孔を中心とする放射状に切り込みを形成したことにより、裏面の面積が比較的小さい捕獲対象獣の脚部でカバーが踏み付けられたときにカバーをより変形し易くすることができるため、捕獲対象獣の脚部を第１筒状体の内部により確実に挿入させて罠用ループによって脚部をより確実に括ることができる。
【図面の簡単な説明】
【００１２】
【図１】括り罠１の構成を示す構成図である。
【図２】括り罠１の組立て方法を説明する第１の説明図である。
【図３】括り罠１の組立て方法を説明する第２の説明図である。
【図４】括り罠１の設置方法を説明する説明図である。
【図５】括り罠１の動作を説明する第１の説明図である。
【図６】括り罠１の動作を説明する第２の説明図である。
【図７】括り罠１の動作を説明する第３の説明図である。
【図８】括り罠１の動作を説明する第４の説明図である。
【発明を実施するための形態】
【００１３】
以下、括り罠の実施の形態について、添付図面を参照して説明する。
【００１４】
最初に括り罠の一例としての括り罠１の構成について説明する。括り罠１は、害獣捕獲用の罠であって、図１に示すように、本体部１０、支持部２０およびカバー３０を備えて構成されている。
【００１５】
本体部１０は、図１に示すように、ワイヤー１１、縮小防止ストッパ１２、スプリング１３、スプリングケース１４、キャップ１５、スプリング用ストッパ１６およびスイベル１７を備えて構成されている。
【００１６】
ワイヤー１１は、一例として、直径が４ｍｍ以上のワイヤーで構成されている。また、ワイヤー１１の一端部１１ａ側には、一端部１１ａに設けられた環状部Ｒに他端部１１ｂを通すことによって拡縮可能な罠用ループＬが形成されている。縮小防止ストッパ１２は、罠用ループＬの中間部位に取り付けられて、罠用ループＬが予め規定した径以下に縮小するのを防止する機能を有している。
【００１７】
スプリング１３は、付勢部材の一例であって、図１に示すように、ワイヤー１１を挿通させた状態でワイヤー１１の一端部１１ａ側に配置されて、罠用ループＬを縮小させる付勢力を発生する。スプリングケース１４は、ワイヤー１１を挿通させる孔が底部に形成された有底の円筒状に構成され、圧縮した状態のスプリング１３を収容する（図２参照）。キャップ１５は、スプリングケース１４の開口部に嵌合可能に形成されている。また、キャップ１５は、ワイヤー１１を挿通させた状態で罠用ループＬの基部Ｌｂ（ワイヤー１１の環状部Ｒ：図２参照）に係止されて、スプリング１３の付勢力を罠用ループＬの基部Ｌｂに作用させる。スプリング用ストッパ１６は、スプリングケース１４の底部よりもワイヤー１１の他端部１１ｂ側に配設され、図外のネジの締め付けおよび緩めによって任意の位置に固定することで、スプリング１３を圧縮させて付勢力を発生する状態に維持する機能を有している。
【００１８】
スイベル１７は、図１に示すように、ワイヤー１１の中間部１１ｃに取り付けられて、ワイヤー１１の一端部１１ａ側と他端部１１ｂ側とを回転可能に連結することによってワイヤー１１の捻れを防止する。
【００１９】
支持部２０は、図１に示すように、第１筒状体２１、第２筒状体２２および突出部２３を備えて構成されている。
【００２０】
第１筒状体２１は、図２に示すように、円筒状に形成されて、スプリング１３によって付勢された状態で先端部２１ａの外周面２１ｂに巻き付けられている罠用ループＬを支持可能に構成されている。また、同図に示すように、第１筒状体２１の内部２１ｄには、踏み板２１ｅが設けられている。この場合、第１筒状体２１は、一例として、ポリ塩化ビニル等の樹脂材料で形成されている。
【００２１】
第２筒状体２２は、図３に示すように、第１筒状体２１を収容可能に構成されている。具体的には、第２筒状体２２は、同図に示すように、内径が第１筒状体２１の外径よりもやや大きい円筒状に形成されている。この場合、第２筒状体２２は、第１筒状体２１と同様の材料で形成されている。
【００２２】
突出部２３は、図３に示すように、筒（この例では、円筒）の一部を切り欠いた（以下、切り欠いた部分を「切り欠き部分２３ｂ」ともいう）部分筒状（部分的に筒状の形状：部分円筒状）に形成され、第２筒状体２２の先端部２２ａから第２筒状体２２の軸線方向（同図における上方向）に突出するように第２筒状体２２の外周面２２ｂに図外の固定金具等で取り付けられている。この場合、突出部２３は、第１筒状体２１と同様の材料で形成されている。
【００２３】
この括り罠１では、図３に示すように、第１筒状体２１の外周面２１ｂと突出部２３の内周面２３ａと第２筒状体２２の先端部２２ａの端面２２ｃとによって構成される溝部Ｇに罠用ループＬが延在すると共に、突出部２３の切り欠き部分２３ｂから突出部２３の外側に罠用ループＬの基部Ｌｂが延出するように罠用ループＬを配置することが可能となっている。
【００２４】
カバー３０は、図１に示すように、円形の主板３１と、主板３１から突出する鍔部３２と、主板３１の外周部から直角（またはほぼ直角）に折り曲げられた帯状の側板３３とを備え、図３に示すように、第１筒状体２１に巻き付けられた罠用ループＬを覆うようにして支持部２０に装着可能に構成されている。この場合、カバー３０は、可撓性を有する材料（一例として、樹脂の薄板）で形成されている。
【００２５】
また、図１に示すように、カバー３０の主板３１には、中央部に挿通孔Ｈが形成されると共に、挿通孔Ｈを中心として放射状に切り込みＳが形成されている。この場合、挿通孔Ｈの直径は、捕獲対象獣の種類等に応じて適宜の大きさに規定することができるが、例えば、イノシシやニホンジカ等（有蹄類）の捕獲対象獣の蹄部の長さと同等かそれよりもやや大きめの直径であって、かつ保護対象獣の熊の足部の長さよりも小さい直径に規定するのが好ましい。また、カバー３０の鍔部３２は、括り罠１を設置する際にカバー３０の上に被せる土や枯れ葉等が罠用ループＬの基部Ｌｂやスプリング１３に落下するのを防止する機能を有し、カバー３０の側板３３は、支持部２０に装着したカバー３０の位置ずれを防止する機能を有している。
【００２６】
このカバー３０は、裏面の面積が比較的小さい蹄部１０２を有するイノシシやニホンジカ等の捕獲対象獣１００（害獣：図５参照）を確実に捕獲し、足裏の面積が大きく足裏全体を使って歩行する蹠行動物である熊２００（保護対象獣）の誤捕獲を防止する機能を有しており、これについては、後述する括り罠１の動作において詳細に説明する。
【００２７】
この括り罠１では、図５，６に示すように、第１筒状体２１の内部２１ｄに挿入された捕獲対象獣１００の蹄部１０２（脚部１０１）によって第１筒状体２１の踏み板２１ｅが踏み付けられたときに、第１筒状体２１の先端部２１ａから罠用ループＬが外れ、この際にスプリング１３（図２参照）の付勢力で罠用ループＬが縮小することによって脚部１０１を罠用ループＬで括るように構成されている。
【００２８】
次に、括り罠１の使用方法、および括り罠１の動作について図面を参照して説明する。
【００２９】
最初に、括り罠１の設置方法（仕掛け方法）について説明する。まず、捕獲対象獣１００の通り道となり得る場所を設置場所として選択する。次いで、図４に示すように、設置場所の地面に支持部２０を埋設可能な大きさの穴を掘る。
【００３０】
続いて、括り罠１を組み立てる。具体的には、スプリング用ストッパ１６のネジを緩めて移動可能な状態とし、次いで、ワイヤー１１を引き出して、罠用ループＬが第１筒状体２１の外径よりも大きくなるように調整する。続いて、図２に示すように、罠用ループＬを第１筒状体２１の先端部２１ａに巻き付ける。次いで、スプリングケース１４をキャップ１５に近接させることで、スプリング１３を圧縮させつつスプリングケース１４内に収容し、続いて、スプリング用ストッパ１６をスプリングケース１４の基端部（同図における下端部）に移動させて、次いで、スプリング用ストッパ１６のネジを締め付けて固定する。これにより、スプリング１３の圧縮によって発生する付勢力が罠用ループＬを縮小させる向きに罠用ループＬの基部Ｌｂに作用する状態が維持されると共に、罠用ループＬがスプリング１３の付勢力によって第１筒状体２１の先端部２１ａを締め付けて第１筒状体２１によって支持された状態が維持される。
【００３１】
続いて、図３に示すように、第２筒状体２２の外周面２２ｂに取り付けられている突出部２３の切り欠き部分２３ｂに罠用ループＬの基部Ｌｂが位置するようにして、第２筒状体２２の内側に第１筒状体２１を挿入する。この際に、第１筒状体２１の外周面２１ｂと突出部２３の内周面２３ａと第２筒状体２２の先端部２２ａの端面２２ｃとによって構成される溝部Ｇ（図４も参照）に罠用ループＬが延在する（収納される）と共に、突出部２３の切り欠き部分２３ｂから突出部２３の外側に罠用ループＬの基部Ｌｂが延出し、この状態で罠用ループＬが支持される。また、第１筒状体２１の先端部２１ａを締め付けている罠用ループＬが第２筒状体２２の端面２２ｃに当接して、第２筒状体２２の基端部２２ｄ側への第１筒状体２１の移動（落下）が防止される。
【００３２】
次いで、図４に示すように、地面に掘った穴に支持部２０を埋設し、続いて、第１筒状体２１の先端部２１ａに巻き付けた罠用ループＬを覆うようにして、支持部２０にカバー３０を装着する。次いで、土や枯れ葉等をカバー３０の上に被せてカモフラージュする。続いて、ワイヤー１１の他端部１１ｂ（図１参照）を立木に結びつける。以上により、括り罠１の設置が完了する。
【００３３】
次に、設置した括り罠１の動作について説明する。図５に示すように、例えば、裏面の面積が比較的小さい蹄部１０２を有するイノシシやニホンジカ等（有蹄類）の捕獲対象獣１００（害獣）が、蹄部１０２（脚部１０１）で括り罠１のカバー３０を踏み付けたときには、切り込みＳ（図１参照）によって分割されたカバー３０の主板３１が第１筒状体２１の内部２１ｄ側に弾性変形し、これに伴って主板３１の中央部の挿通孔Ｈ（図１参照）が拡大（拡径）する。このため、捕獲対象獣１００の脚部１０１が、弾性変形した主板３１によって主板３１の中央部に案内されて挿通孔Ｈを挿通し、第１筒状体２１の内部２１ｄに確実に挿入される。次いで、第１筒状体２１の内部２１ｄに設けられている踏み板２１ｅが蹄部１０２によって踏み付けられたときには、図６に示すように、第１筒状体２１が第２筒状体２２の基端部２２ｄ側に移動（下動）する。
【００３４】
続いて、図６に示すように、第１筒状体２１の先端部２１ａが第２筒状体２２の先端部２２ａよりも基端部２２ｄ側に位置するまで第１筒状体２１が移動したときには、第１筒状体２１の先端部２１ａに巻き付けられていた罠用ループＬが先端部２１ａから外れ、スプリング１３の付勢力によって罠用ループＬが縮小する。この際には、同図に示すように、蹄部１０２がカバー３０の主板３１よりも下方に位置して罠用ループＬと蹄部１０２との間にカバー３０が介在していないため、罠用ループＬによって脚部１０１が括られる。この場合、カバー３０の主板３１に挿通孔Ｈおよび切り込みＳを形成したことで、捕獲対象獣１００の脚部１０１が第１筒状体２１の内部２１ｄに確実に挿入される結果、罠用ループＬによって捕獲対象獣１００の脚部１０１を確実に括ることができ、捕獲対象獣１００を確実に捕獲することが可能となる。
【００３５】
一方、図７に示すように、足裏の面積が大きく足裏全体を使って歩行する蹠行動物である熊２００（保護対象獣）が、足部２０２（脚部２０１）で括り罠１のカバー３０を踏み付けたときには、切り込みＳ（図１参照）によって分割されたカバー３０の主板３１が第１筒状体２１の内部２１ｄ側に弾性変形するものの、足部２０２が挿通孔Ｈを挿通することはなく、弾性変形した主板３１が足部２０２の足裏と第１筒状体２１の踏み板２１ｅとによって挟み込まれた状態となる。また、この状態では、図７に示すように、足部２０２（脚部２０１）と罠用ループＬとの間に弾性変形した主板３１が介在している。
【００３６】
次いで、図８に示すように、踏み板２１ｅに対する足部２０２の踏み付けによって、第１筒状体２１の先端部２１ａが第２筒状体２２の先端部２２ａよりも基端部２２ｄ側に位置するまで第１筒状体２１が移動したときには、第１筒状体２１の先端部２１ａに巻き付けられていた罠用ループＬが先端部２１ａから外れ、スプリング１３の付勢力によって罠用ループＬが縮小する。この場合、同図に示すように、弾性変形したカバー３０の主板３１が足部２０２の足裏と第１筒状体２１の踏み板２１ｅとによって挟み込まれて、足部２０２（脚部２０１）と罠用ループＬとの間に弾性変形した主板３１が介在している。このため、罠用ループＬによる熊２００の脚部２０１の括りが防止され、熊２００の誤捕獲が防止される。
【００３７】
このように、この括り罠１によれば、第１筒状体２１の先端部２１ａに巻き付けられた罠用ループＬおよび第１筒状体２１の開口部２１ｃを覆うように支持部２０に装着可能に構成されたカバー３０を備え、捕獲対象獣１００の脚部を挿通させるための切り込みＳをカバー３０に形成したことにより、捕獲対象獣１００（害獣）の蹄部１０２（脚部１０１）によってカバー３０が踏み付けられたときには、切り込みＳによって分割されたカバー３０が第１筒状体２１の内部２１ｄ側に弾性変形して捕獲対象獣１００の脚部１０１を主板３１の中央部に案内して挿通孔Ｈを挿通させて第１筒状体２１の内部２１ｄに確実に挿入させて、罠用ループＬによって脚部１０１を確実に括ることができる結果、捕獲対象獣１００を確実に捕獲することができる。また、この括り罠１によれば、カバー３０を備えたことにより、熊２００（保護対象獣）の足部２０２（脚部２０１）によってカバー３０が踏み付けられたときには、切り込みＳによって分割されたカバー３０が第１筒状体２１の内部２１ｄ側に弾性変形して足部２０２の足裏と第１筒状体２１の踏み板２１ｅとによって挟み込まれて足部２０２と罠用ループＬとの間に介在するため、罠用ループＬによる熊２００の脚部２０１の括りを防止して、熊２００の誤捕獲を防止することができる。
【００３８】
また、この括り罠１によれば、第１筒状体２１を収容可能な第２筒状体２２と、第２筒状体２２の外周面２２ｂに取り付けられた突出部２３とを備え、第１筒状体２１の外周面２１ｂと突出部２３の内周面２３ａと第２筒状体２２の端面２２ｃとによって構成される溝部Ｇに罠用ループＬが延在すると共に、突出部２３の切り欠き部分２３ｂから罠用ループＬの基部Ｌｂが延出する状態で罠用ループＬを支持可能に支持部２０を構成したことにより、罠用ループＬを支持部２０で確実に支持すると共に、第１筒状体２１の踏み板２１ｅが踏み付けられたときに第１筒状体２１を第２筒状体２２の基端部２２ｄ側に容易に移動させることができる。このため、この括り罠１によれば、罠用ループＬが風や地震等の自然現象によって第１筒状体２１から外れる誤作動を防止すると共に、捕獲対象獣１００の足部２０２によってカバー３０が踏み付けられたときに罠用ループＬを確実に正常作動させることができる。
【００３９】
また、この括り罠１によれば、カバー３０の主板３１の中央部に挿通孔Ｈを形成すると共に、挿通孔Ｈを中心とする放射状に切り込みＳを形成したことにより、裏面の面積が比較的小さい捕獲対象獣１００の蹄部１０２でカバー３０が踏み付けられたときに主板３１をより変形し易くすることができるため、捕獲対象獣１００の脚部１０１を第１筒状体２１の内部２１ｄにより確実に挿入させて罠用ループＬによって脚部１０１をより確実に括ることができる。
【００４０】
なお、括り罠は、上記の構成に限定されず、適宜変更することができる。例えば、カバーの構成は上記したカバー３０の構成に限定されず適宜変更することができる。具体的には、主板３１に挿通孔Ｈを形成しない構成を採用することもできる。この場合、主板３１に挿通孔Ｈを形成しない構成のカバー３０を用いたとしても、イノシシやニホンジカ等の捕獲対象獣１００の蹄部１０２（脚部１０１）の裏面面積が比較的小さく、かつ切り込みＳによって主板３１が容易に変形するため、脚部１０１が第１筒状体２１の内部２１ｄに容易に挿入される。また、帯状の側板３３に代えて、各種形状（例えば、矩形、半円形および台形等）の複数の片を側板とする構成を採用することもできる。また、側板３３を備えずに、第２筒状体２２の口径よりも大きく形成した主板３１でカバー３０を構成することもできる。また、鍔部３２を備えていない構成を採用することもできる。
【００４１】
また、第１筒状体２１および第２筒状体２２を円筒状に形成し、突出部２３を部分円筒状に形成した例について上記したが、平面視多角形の筒状や平面視楕円形の筒状に形成した第１筒状体２１および第２筒状体２２、並びにこれらに対応する平面視形状の部分筒状に形成した突出部２３を採用することもできる。また、第１筒状体２１、第２筒状体２２および突出部２３を備えて構成した支持部２０に代えて、第１筒状体２１だけで構成した支持部２０を採用することもできる。
【００４２】
また、付勢部材としてスプリング１３を用いる構成例について上記したが、他の付勢部材（例えば、ゴム等の弾性体）を用いることもできる。
【符号の説明】
【００４３】
１  括り罠
１０  本体部
１１  ワイヤー
１１ａ  一端部
１３  スプリング
２０  支持部
２１  第１筒状体
２１ａ  先端部
２１ｂ  外周面
２１ｃ  開口部
２１ｄ  内部
２１ｅ  踏み板
２２  第２筒状体
２２ａ  先端部
２２ｂ  外周面
２２ｃ  端面
２３  突出部
２３ａ  内周面
２３ｂ  切り欠き部分
３０  カバー
１００  捕獲対象獣
１０１  脚部
１０２  蹄部
Ｇ  溝部
Ｈ  挿通孔
Ｌ  罠用ループ
Ｌｂ  基部
Ｓ  切り込み
【要約】
【課題】捕獲対象の害獣を確実に捕獲すると共に害獣に指定されていない熊の誤捕獲を防止する。
【解決手段】拡縮可能な罠用ループＬが一端部１１ａ側に形成されたワイヤー１１、および罠用ループＬを縮小させる付勢力を発生するスプリング１３を有する本体部１０と、スプリング１３によって付勢された状態で先端部に巻き付けられている罠用ループＬを支持すると共に内部に踏み板が設けられた第１筒状体２１を有する支持部２０とを備え、第１筒状体２１の内部に挿入された捕獲対象獣の脚部によって踏み板が踏み付けられたときに先端部から外れて縮小した罠用ループＬによって脚部を括るように構成され、第１筒状体２１の先端部に巻き付けられた罠用ループＬおよび第１筒状体２１の開口部を覆うように支持部２０に装着可能なカバー３０を備え、カバー３０には、捕獲対象獣の脚部を挿通させるための切り込みＳが形成されている。
【選択図】図１【図１】
0006963065.tif 000002
【図２】
0006963065.tif 000003
【図３】
0006963065.tif 000004
【図４】
0006963065.tif 000005
【図５】
0006963065.tif 000006
【図６】
0006963065.tif 000007
【図７】
0006963065.tif 000008
【図８】
0006963065.tif 000009